【手続補正書】
【提出日】平成22年11月15日(2010.11.15)
【手続補正１】
【補正対象書類名】特許請求の範囲
【補正対象項目名】全文
【補正方法】変更
【補正の内容】
【特許請求の範囲】
【請求項１】
止血帯システムであって、
第１端部及び第２端部を有するバンドと、
バーにして、第１端と、中間部と、第２端と、バンドを受け且つバンドを挿通し得るように該バーに形成した少なくとも１つの孔と、第１端又は第２端の少なくとも一方から伸延する少なくとも１つの錠止用突起と、を有する材料の細長部分を含むバーと、
抗ピンチプレートにして、バンドを受け且つバンドを通し得るように形成した１つ以上のバンド受け用の孔を含み、該抗ピンチプレートの縁部に実質的に沿って形成した１つ以上の錠止用切り欠きを含み、該錠止用切り欠きが、バーの少なくとも一部分を抗ピンチプレートに固定するための手段を提供し、
バンドの各部が１つ以上のバンド受け用の孔に挿通されることにより抗ピンチプレートに関するバンドの位置が維持され、
バンドの第１端部がバーに形成した少なくとも１つの孔に挿通され、バンドの第２端部がバーに形成した少なくとも１つの孔に挿通され、
抗ピンチプレートがバーの下方に位置決めされることにより、バーを回転させることによりバンドが締め付けられる際に材料がコブ状になる又はバンド内に撚り込まれるのが制限又は防止される止血帯システム。
【請求項２】
バンドが実質的に非弾性の材料から形成される請求項１の止血帯システム。
【請求項３】
バンドが実質的に弾性の部分を含む請求項１の止血帯システム。
【請求項４】
バンドの第１端部及び第２端部が連結して連続するバンドを形成する請求項１の止血帯システム。
【請求項５】
バーがその長さ部分に渡り湾曲している請求項１の止血帯システム。
【請求項６】
バーがその長さ部分に渡り実質的に平坦である請求項１の止血帯システム。
【請求項７】
バーの端部近くに少なくとも１つの孔が形成される請求項１の止血帯システム。
【請求項８】
バーに形成される少なくとも１つの孔が、受けられたバンドがバーの長手方向軸と平行となる状態下に配向されるように形成される請求項１の止血帯システム。
【請求項９】
バーに形成される少なくとも１つの孔が、受けられたバンドがバーの長手方向軸と直交する状態下に配向されるように形成される請求項１の止血帯システム。
【請求項１０】
少なくとも１つの錠止用突起が、第１端部及び第２端部の少なくとも一方から伸延する実質的に“Ｔ”字形の延長部を含む請求項１の止血帯システム。
【請求項１１】
少なくとも１つの錠止用突起が、第１端部又は第２端部近くに形成した錠止用インデントにより確定される請求項１の止血帯システム。
【請求項１２】
バンド受け用の孔が、受けたバンドが抗ピンチプレートの長手方向軸と平行な状態に配向されるように形成される請求項１の止血帯システム。
【請求項１３】
バンド受け用の孔が、受けたバンドが抗ピンチプレートの長手方向軸と直交する状態に配向されるように形成される請求項１の止血帯システム。
【請求項１４】
錠止用切り欠きが抗ピンチプレートの縁部により形成される請求項１の止血帯システム。
【請求項１５】
錠止用切り欠きが、抗ピンチプレートに取り付け又は連結したコード又はバンド材料を含む請求項１の止血帯システム。
【請求項１６】
少なくとも１つの錠止用突起が、止血帯システムの不使用時に錠止用切り欠きと相互作用してバーを抗ピンチプレートに釈放自在に固定し得るように形成される請求項１の止血帯システム。
【請求項１７】
抗ピンチプレートが衣類に取り付けられる請求項１の止血帯システム。
【請求項１８】
抗ピンチプレートが衣類の外側部分に取り付け又は連結される請求項１７の止血帯システム。
【請求項１９】
抗ピンチプレートが衣類の内側部分に取り付け又は連結される請求項１７の止血帯システム。
【請求項２０】
少なくとも１つの止血帯システムが衣類の内部に埋設され、該埋設した少なくとも１つの止血帯システムのバンドの少なくとも一部分が、衣類の内側表面の少なくとも１つに形成したチャンネルの内部に維持されることにより止血帯システムが衣類及び又は止血帯システム装着者の身体に関する所望の位置に維持される請求項１の止血帯システム。
【請求項２１】
バンドの少なくとも一部分が、衣類の内側表面の周囲の少なくとも一部分の周囲に形成した一連のループにより衣類の内部に維持される請求項２０の止血帯システム。
【請求項２２】
止血帯システム使用時には止血帯システムの少なくともバーへのアクセスを許容するフラップによってバーが覆われる請求項２０の止血帯システム。
【請求項２３】
止血帯システム使用時には止血帯システムの少なくともバーへのアクセスを許容するアクセス用の孔によってバーが少なくとも部分的に覆われる請求項２０の止血帯システム。
【請求項２４】
止血帯システムであって、
第１端部及び第２端部を有するバンドと、
抗ピンチプレートにして、実質的にその縁部に沿って形成した１つ以上の錠止用切り欠きを含む抗ピンチプレートと、
を含み、
錠止用切り欠きが、バーの少なくとも一部を抗ピンチプレートに固定するための手段を提供し、
抗ピンチプレートがバンドの下方に配置されることにより、バンドと抗ピンチプレートとの間に配置したバーを回転させてバンドを締め付ける際に材料がコブ状になる又はバンドに撚り込まれるのを制限又は防止し、
前記バンドが、該バンドを取り付けたい四肢の外周部分に位置決めされる連続形態を有する止血帯システム。
【請求項２５】
抗ピンチプレートが１つ以上のバンド受け用の孔を含み、該孔が、バンドを受け且つ該孔に挿通し得るように形成され、バンドの各部分を１つ以上のバンド受け用の孔に挿通させることにより、抗ピンチプレートに関するバンドの位置が維持される請求項２４の止血帯システム。
【請求項２６】
バンドの各端部が抗ピンチプレートの周囲に伸延される請求項２４の止血帯システム。
【請求項２７】
バンドが第１及び第２の各バンドを含み、該第１及び第２の各バンドが離間した各位置で相互に固定され、各固定位置間に於て第１のバンドと第２のバンドとの間にトンネルセグメントが形成され、該トンネルセグメントの少なくとも幾つかがその内部にバーを受け得るようになっている請求項２４の止血帯システム。
【請求項２８】
止血帯システムであって、
第１端部及び第２端部を有するバンドと、
バーにして、第１端と、中間部と、第２端と、バンドを受け且つ該バンドを挿通し得るようにバーに形成した少なくとも１つの孔と、第１端及び第２端の少なくとも一方から伸延する少なくとも１つの錠止用突起と、を有する材料の細長部分と、
抗ピンチプレートと、
を含み、
抗ピンチプレートが一つ以上のバンド受け用孔を含み、該バンド受け用孔がバンドを受け且つ挿通させるようになっており、
抗ピンチプレートが、該抗ピンチプレートに取り付け又は連結したコード又はバンド材料の１つ以上の部分を含み、
バンドの一部が１つ以上のバンド受け用の孔に挿通されることにより抗ピンチプレートに関するバンドの位置が維持され、
第１端部が、バーに形成した少なくとも１つの孔に挿通され、第２端部が、バーに形成した少なくとも１つの孔に挿通され、
抗ピンチプレートが、バーの下方に配置されることにより、バーを回転させてバンドを締め付ける際に材料がコブ状になる又はバンドに撚り込まれるのが制限又は防止される止血帯システム。
【請求項２９】
止血帯システムであって、
第１端部及び第２端部を有するバンドと、
バーにして、第１端と、中間部と、第２端と、バンドを受け且つバンドを挿通し得るようにバンドに形成した少なくとも１つの孔と、第１端及び第２端の少なくとも一方から伸延する少なくとも１つの錠止用突起と、を有する、材料の細長部分を含むバーと、
抗ピンチプレートと、
を含み、
抗ピンチプレートが、１つ以上の錠止用切り欠きを含み、該錠止用切り欠きがバーの少なくとも一部分を抗ピンチプレートに固定するための手段を提供し、
バンドの一部が抗ピンチプレートの周囲に伸延されることにより、抗ピンチプレートに関するバンドの位置が維持され、
抗ピンチプレートがバーの下方に配置されることにより、バーを回転させてバンドを締め付ける際に材料がコブ状になる又はバンドに撚り込まれるのが制限又は防止される止血帯システム。
【請求項３０】
止血帯システムであって、
第１端及び第２端を有するバンドと、
抗ピンチプレートにして、実質的に該抗ピンチプレートの縁部に沿って形成した１つ以上の錠止用切り欠きを含み、該錠止用切り欠きがバーの少なくとも一部分を抗ピンチプレートに固定するための手段を提供し、
該抗ピンチプレートがバンドの下方に配置されることにより、バンドと抗ピンチプレートとの間に配置したバーを回転させてバンドを締め付ける際に材料がコブ状になる又はバンドに撚り込まれるのを制限又は防止し、
前記抗ピンチプレートが、バックルに連結した第１端と、自由に引張し得る第２端とを有する止血体システム。